(57)【要約】【課題】電気品冷却用のファンを用いずに電気品を冷却し、室温と同等以上の吹出温度が得られる再熱除湿運転が可能な空気調和機の運転方法を得ること。また、電気品冷却のための新たな部品を必要とせずに、室外熱交換器の通風を停止または抑制したまま電気品の冷却が可能で、室温と同等以上の吹出温度が得られる再熱除湿運転が可能な空気調和機を得ること。【解決手段】圧縮機１、四方弁２、室外熱交換器３、第１絞り機構５、第１室内熱交換器６、第２絞り機構７、第２室内熱交換器８からなる冷凍サイクルおよび室内ファン９、室外ファン４、放熱を必要とする電気品１１を備えた空気調和機において、室外ファン４の送風量を抑えることで室内機の吹出温度が室温以上となるように室外熱交換量をある所定値以下に抑え、かつ室外ファン４による電気品１１の冷却を確保するようにした。【選択図】　　　　図１
2004101154.tif 000002
【特許請求の範囲】
【請求項１】
圧縮機、四方弁、室外熱交換器、第１絞り機構、第１室内熱交換器、第２絞り機構、第２室内熱交換器からなる冷凍サイクルおよび室内ファン、室外ファン、放熱を必要とする電気品を備えた空気調和機において、
前記室外ファンの送風量を抑えることで室内機の吹出温度が室温以上となるように室外熱交換量をある所定値以下に抑え、かつ室外ファンによる電気品の冷却を確保することを特徴とする空気調和機の運転方法。
【請求項２】
前記室外ファンを通常とは逆方向の回転で駆動することを特徴とする請求項１に記載の空気調和機の運転方法。
【請求項３】
前記室外ファンを逆回転させる場合の回転数の下限値を、通常の正回転での下限値よりも低く設定したことを特徴とする請求項２に記載の空気調和機の運転方法。
【請求項４】
前記室外ファンの停止と逆回転を交互に行うことを特徴とする請求項２に記載の空気調和機の運転方法。
【請求項５】
前記室外ファンの正回転と逆回転を交互に行うことを特徴とする請求項２に記載の空気調和機の運転方法。
【請求項６】
吹出温度センサーや室温センサーを備え、吹出温度や室温に応じて前記室外ファンの回転方向および回転数を制御することを特徴とする請求項２に記載の空気調和機の運転方法。
【請求項７】
前記室外ファンの運転時に電気品には通風冷却しながら室外熱交換器には通風しないようなダンパーを備えたことを特徴とする請求項１に記載の空気調和機の運転方法。
【請求項８】
室外機の上下に通風口を設けたことを特徴とする請求項１に記載の空気調和機の運転方法。
【請求項９】
室外ファンの設置向きを変更可能とし、電気品には通風冷却しながら室外熱交換器には通風しないように該室外ファンを運転することを特徴とする請求項１に記載の空気調和機の運転方法。
【請求項１０】
圧縮機、四方弁、室外熱交換器、第１絞り機構、第１室内熱交換器、第２絞り機構、第２室内熱交換器からなる冷凍サイクルおよび室内ファン、室外ファン、放熱を必要とする電気品を備えた空気調和機において、
前記室内機の吹出温度が室温以上となるように室外ファンを停止し、かつ室内機で発生したドレン水を用いて電気品を冷却することを特徴とする空気調和機の運転方法。
【請求項１１】
圧縮機、四方弁、室外熱交換器、第１絞り機構、第１室内熱交換器、第２絞り機構、第２室内熱交換器からなる冷凍サイクルおよび室内ファン、室外ファン、放熱を必要とする電気品を備えた空気調和機において、
前記室内機の吹出温度が室温以上となるように室外ファンを停止し、かつ電気品の放熱フィンを室外機の機外に露出させたことを特徴とする空気調和機の運転方法。
【請求項１２】
圧縮機、四方弁、室外熱交換器、第１絞り機構、第１室内熱交換器、第２絞り機構、第２室内熱交換器からなる冷凍サイクルおよび室内ファン、室外ファン、放熱を必要とする電気品を備えた空気調和機において、
前記室内機の吹出温度が室温以上となるように室外ファンを停止し、かつ電気品の発熱を室外機の天井や側面に伝えて室外機筐体で放熱させることを特徴とする空気調和機の運転方法。
【請求項１３】
圧縮機、四方弁、室外熱交換器、第１絞り機構、第１室内熱交換器、第２絞り機構、第２室内熱交換器からなる冷凍サイクルおよび室内ファン、室外ファン、放熱を必要とする電気品を備えた空気調和機において、
前記室外熱交換器、室外ファン、電気品を備えた室外機の前記室外熱交換機と室外ファンとの間に通風量を調整するダンパを設けたことを特徴とする空気調和機。
【請求項１４】
圧縮機、四方弁、室外熱交換器、第１絞り機構、第１室内熱交換器、第２絞り機構、第２室内熱交換器からなる冷凍サイクルおよび室内ファン、室外ファン、放熱を必要とする電気品を備えた空気調和機において、
前記室外熱交換器、室外ファン、電気品を備えた室外機の天板及び底板又はいずれか一方に通気口を設けたことを特徴とする空気調和機。
【請求項１５】
前記通気口に代えて、室外ファンの向きを変更可能に構成したことを特徴とする請求項１４に記載の空気調和機。
【請求項１６】
前記通気口に代えて、電気品の放熱フィンを室内機で発生したドレン水で冷却するための冷却手段を設けたことを特徴とする請求項１４に記載の空気調和機。
【請求項１７】
前記通気口に代えて、電気品の放熱フィンを室外機の機外に露出させたことを特徴とする請求項１４に記載の空気調和機。
【請求項１８】
前記通気口に代えて、電気品を屋外機の天板や側壁に当接させて設置したことを特徴とする請求項１４に記載の空気調和機。
【発明の詳細な説明】
【０００１】
【発明の属する技術分野】
本発明は、冷凍サイクルを利用した空気調和機の運転方法及び空気調和機に係り、さらに詳しくは、再熱除湿運転時に室温低下を防ぐために、室内機から吹き出す除湿空気の温度を高めるようにした空気調和機の運転方法及び空気調和機に関するものである。
【０００２】
【従来の技術】
室温低下を抑えた除湿運転を行えるようにした空気調和機には、例えば図１６に示すように、室内熱交換器を２分割してその間に第２絞り機構７を設け、再熱除湿運転を可能にしたものがある。圧縮機１で圧縮された冷媒は四方弁２を介して室外熱交換器３で凝縮され、第１絞り機構５を経由して第１室内熱交換器６でさらに凝縮し、第２絞り機構７で減圧された後、第２室内熱交換器８で蒸発し、四方弁２を介して圧縮機１に戻る。
この際室内ファン９によって室内機（図示せず）に吸込まれた空気の一部は第２室内熱交換器８で冷却・除湿され、残りは第１室内熱交換器６で加熱されて室内に吹出されるので、室内空気を除湿しながらも、室温の低下を防いでいる。
【０００３】
しかしながら、冷媒の凝縮は室外熱交換器３と第１室内熱交換器６で実施されるため、室外熱交換器３で熱交換を行う分だけ、第１室内熱交換器６の熱交換量、すなわち再熱量は少なくなる。従って、第２室内熱交換器８の冷却量に対して第１室内熱交換器６の再熱量が少なくなるため、再熱除湿運転を行うと室内空気は除湿されるものの、吹出温度は室温より低くなり、室温が低下してしまっていた。よって、冷房が不要で除湿のみ行いたい場合や、室温が低く暖房気味の除湿を行いたい場合などに、室温を低下させてしまって快適性を損なう場合があった。
【０００４】
吹出温度を上げるためには第１室内熱交換器６の再熱量を上げる必要があり、そのためには室外熱交換器３の熱交換量を下げればよい。室外熱交換器３の熱交換量を下げる簡易な手段として、室外ファン４を停止する方法があるが、従来の室外機は、室外ファン４の送風量の一部を、室外機内部に配置されている電気品の冷却に用いている。従って、室外ファン４を停止してしまうと、電気品の温度上昇を引き起こして部品の劣化や故障を引き起こすおそれがあった。
【０００５】
室外ファン４を停止して室外熱交換器３の熱交換量を低下させながら、電気品の冷却を行える空気調和機として、図１７に示すように、電気品１１に電気品冷却用ファン２５や電気品１１の冷却器を備えたものがあり、吹出温度を上げるために室外ファン４を停止しても、常に電気品１１の冷却を行えるようにしたものがある（例えば、特許文献１参照）。
【０００６】
【特許文献１】
特開２００１−２８０６６８号公報（第４頁、図４）
【０００７】
【発明が解決しようとする課題】
しかしながら、特許文献１に記載の方法では、室外ファン４とは別に、電気品冷却用のファン２５又は冷却器を用いるために、新たな部品が必要となってコストアップや、ファン又は冷却器のためのスペースが必要となるという問題があった。また、ファン以外の具体的な冷却装置に関する記述も無い。
【０００８】
本発明は、電気品冷却用のファンを用いずに電気品を冷却し、室温と同等以上の吹出温度が得られる再熱除湿運転が可能な空気調和機の運転方法を得ることを目的としたものである。
また、本発明は、電気品冷却のための新たな部品を必要とせずに、室外熱交換器の通風を停止または抑制したまま電気品の冷却が可能で、室温と同等以上の吹出温度が得られる再熱除湿運転が可能な空気調和機を得ることを目的としたものである。
【０００９】
【課題を解決のための手段】
本発明に係る空気調和機の運転方法は、圧縮機、四方弁、室外熱交換器、第１絞り機構、第１室内熱交換器、第２絞り機構、第２室内熱交換器からなる冷凍サイクルおよび室内ファン、室外ファン、放熱を必要とする電気品を備えた空気調和機において、前記室外ファンの送風量を抑えることで室内機の吹出温度が室温以上となるように室外熱交換量をある所定値以下に抑え、かつ室外ファンによる電気品の冷却を確保するようにしたものである。
【００１０】
また、本発明に係る空気調和機は、圧縮機、四方弁、室外熱交換器、第１絞り機構、第１室内熱交換器、第２絞り機構、第２室内熱交換器からなる冷凍サイクルおよび室内ファン、室外ファン、放熱を必要とする電気品を備えた空気調和機において、前記室外熱交換器、室外ファン、電気品を備えた室外機の前記室外熱交換機と室外ファンとの間に通風量を調整するダンパを設けたものである。
【００１１】
【発明の実施の形態】
［実施の形態１］
図１は本発明の実施の形態１に係る空気調和機の冷凍サイクルの冷媒回路図である。除湿運転時及び冷房運転時は、図中の矢印で示すように、圧縮機１を出た冷媒は四方弁２を通り、室外ファン４が付設された室外熱交換器３、第１絞り機構５を通過し、第１室内熱交換器６、第２絞り機構７を通り、第２室内熱交換器８を通過して、再び四方弁２を通って圧縮機１に戻る。なお、暖房運転時は四方弁２が切り替わり、冷媒の流れ方向が逆となる。ここで圧縮機１、四方弁２、室外熱交換器３、室外ファン４、第１絞り機構５、電気品１１は室外機（図示せず）に内蔵され、第１室内熱交換器６、第２絞り機構７、第２室内熱交換器８、室内ファン９は室内機（図示せず）に内蔵されている。
【００１２】
再熱除湿運転では第１絞り機構５を全開にして第２絞り機構７の開度を調整することで、室外熱交換器３と第１室内熱交換器６は凝縮器として機能し、第２室内熱交換器８が蒸発器として機能する。従って室内空気は、第２室内熱交換器８で冷却・除湿されると同時に第１室内熱交換器６で加熱され、再熱除湿運転が実現される。
【００１３】
図２は本実施の形態に係る空気調和機の一部を示すブロック図である。図において２１は制御手段、２２は入力手段、２３は記憶手段、２４は検知手段である。制御手段２１は例えばマイクロコンピュータの処理部であり、圧縮機１、四方弁２、室外ファン４、第１絞り機構５、第２絞り機構７、室内ファン９等を制御している。入力手段２２は空気調和機又はリモコンに設けられたスイッチであり、このスイッチで入力された運転モードなどは制御手段２１に制御信号として通知される。記憶装置２３は例えばマイクロコンピュータのメモリであり、運転モード等に対応した圧縮機１、四方弁２、室外ファン４、第１絞り機構５、第２絞り機構７、室内ファン９等の情報を記憶している。検知手段２４は例えば室温センサーや湿度センサーであり、実際の室温や湿度を検知して制御手段２１に制御信号として通知される。
【００１４】
再熱除湿運転時の室外ファン４の回転数と室内機の能力について、図３を用いて説明する。図３は室内機の能力を示す図である。このグラフの縦軸は除湿能力を示し、上ほど除湿能力が高いことを示している。また、横軸は室内機の冷房能力を示し、右側は冷房能力が高く、左側は暖房能力が高いことを示している。中央は冷暖房能力が０で除湿能力のみ発生する状態である。なお、吹出温度はグラフ上の右に行くほど低くなり、中央で室温と等温、左に行くと室温より高くなる。
【００１５】
通常の冷房運転では図３の点ａのような動作点で運転され、除湿量とともに大きな冷房能力が発揮される。再熱除湿運転を実施することで例えば図中点ｂのような動作点で運転され、冷房能力はかなり抑制され、室温低下の少ない除湿運転が可能である。しかしながら、室外ファン４は正回転で運転しているため、室外熱交換器３でも熱交換が発生して第１室内熱交換器６の再熱量が減少し、従って室内機からは冷房能力が発生してしまうので、吹出温度は室温より低くなり、室温低下や冷え過ぎなど、快適性を損なう場合がある。
【００１６】
それら不具合を解消するような、すなわち、図３中の点ｃでの運転を実施するには、室外熱交換器３の熱交換量を低減させればよく、そのための手段として室外ファン４の停止がある。ただし、室外ファン４の役割は室外熱交換器３への送風だけでなく、電気品１１への通風・冷却があるため、単に室外ファン４を停止させると電気品１１の温度上昇をまねき、誤動作や故障の原因となる。通常は電気品１１の冷却に必要な最低限の風量を確保するため、室外ファン４の最低回転数を設定している場合が多く、例えば、１５０［回転／分］以下にならないような制限を用いている。例えば、室外ファン４の最低回転数１５０［回転／分］での動作点を図３の点ｂとすると、室外ファン４を停止せずに、点ｂより左側での運転、すなわち吹出温度を室温と同等以上にする運転は、困難である。
【００１７】
室温を下げない除湿運転、すなわち、図３のグラフの中央より左側の領域での運転に対する要求が発生した場合、最低回転数１５０［回転／分］で室外ファン４の逆回転を実施する。通常室外ファン４にはプロペラファンを用いる場合が多く、この場合の室外ファンの風量特性を図４に示す。これはファン回転数に対する風量の値を示している。同じ回転数で回転させても、正回転に対し逆回転で運転した場合は、図４に示すように送風量は低下する。従って、室外ファン４を逆回転で運転することで送風量は減少し、室外熱交換器３の熱交換量も低下するので、結果として図３における動作点も点ｂ１のような、吹出温度の高い左方向へシフトする。
【００１８】
なお、室外ファン４を逆回転させた場合、室外熱交換器３への送風量は減少するが、電気品１１への送風量も減少する。しかしながら、以下に示す理由によって電気品１１の冷却効果は低減しない。図５および図６はこの発明の実施の形態１に係る空気調和機の室外機１０の内部構成を示した図であり、図５は室外ファン４を正回転で運転した場合の空気の流れ、図６は室外ファン４を逆回転で運転した場合の空気の流れを示している。室外ファン４を正回転で運転した場合、図５に示すように室外機に吸込まれた空気は室外熱交換器３で熱交換して加温され、多くは室外ファン４を経由して機外に吹き出され、残りの一部は電気品１１及び電気品１１に付随して電気品１１の放熱を促進する放熱フィン１２に流れ、それらを冷却してから室外ファン４に流れて室外機１０の外部へ吹出される。
【００１９】
再熱除湿運転時は、室外熱交換器３は凝縮器として作用するので高温となっており、放熱フィン１２は、凝縮器を通った後の高温空気で冷却することになる。従って冷却効果は小さく、その分送風量は多く必要となり、室外ファン４の最低回転数も、それを見こんだ数値となっている。しかしながら、室外ファン４を逆回転した場合、空気の流れは図６に示すように、室外熱交換器３を通る前に放熱フィン１２を通る。例えば、正回転では凝縮器を通過して５０℃となった空気で冷却するのに対し、逆回転ではほぼ外気温の、例えば２０℃の空気で冷却することになる。したがって逆回転時の方が放熱フィン１２の冷却効果ははるかに高く、その分風量は少なくても電気品１１の冷却はまかなえる。
【００２０】
従って、室外ファン４を逆回転で運転することで、送風量が低減される分室内機の吹出温度は高く、すなわち、室温と等温あるいは暖房気味の除湿運転が可能となり、また、電気品１１の冷却も充分であるような制御が可能となる。
【００２１】
本実施の形態では室外ファン４を逆回転させる回転数を、最低回転数１５０［回転／分］としたが、これに限定するものではなく、逆回転時の最低回転数を例えば７５［回転／分］などのように、正回転時の最低回転数より下げた値とすることも可能である。すなわち、図６で述べたように逆回転時は放熱フィン１２を冷却する空気温度が正回転時よりもはるかに低いため、より低回転でも電気品１１の冷却は可能である。従って室外ファン４を逆回転で運転する場合は、最低回転数を例えば７５［回転／分］とすることで、より吹出温度の高い、すなわち、図３中の点ｂ２のような動作点での運転が可能となる。
【００２２】
また、本実施の形態では、室外ファン４の回転数について、ＯＮ・ＯＦＦ制御のような可変制御も可能である。図７は室外ファン４の制御内容を示す線図である。図７に示すように、室外ファン４の逆回転と停止を交互に行うことによって実質的に室外ファン４の回転数をより低下させる効果が得られ、室内機の吹出温度も上昇する。
【００２３】
室外ファン４の最低回転数の設定は電気品１１の冷却以外の意味もある。室外ファン４を安定した回転数で運転するためにはある程度の回転数以上であることが必要であり、極端に低い回転数で室外ファン４を運転しようとすると回転速度が不安定になったり、場合によっては回転しないという状況が発生する。従って室外ファン４は制御上の制約からも回転数の最低値が設けられていた。よって電気品１１の冷却以外の理由によっても最低回転数以下に回転数を下げることは困難であった。しかしながら、室外ファン４を図７のようにＯＮ・ＯＦＦさせることで、実質的にはより低い回転数相当の送風量を実現することができる。
【００２４】
また、室外ファン４の運転を、正回転と逆回転を交互に繰り替えすようにしてもよく、この場合は電気品への送風が途切れることなく、図３の点ｂと点ｂ１又は点ｂ２の間の動作点となり、木目細かい制御が可能となる。
【００２５】
さらに、室内機に吹出温度センサーと室温センサーを設け、それらから検知された吹出温度や室温を常に把握しながら室外ファン４を制御することで、より居住者の要求に即した、木目細かい快適な環境を実現することができる。
【００２６】
［実施の形態２］
図８および図９は本発明の実施の形態２に係る空気調和機の室外機の内部構成を示した図である。図８に示すように通常の冷暖房運転や再熱除湿運転時は、ダンパー１３を開方向として室外熱交換器３へ通風させるとともに、放熱フィン１２の冷却を行う。吹出温度をより上昇させる場合は、図９に示すようにダンパー１３を閉方向として室外熱交換器３への通風を一部抑制し、放熱フィン１２には通風させて冷却を行う。これによって電気品１１の冷却をしながら吹出温度を上昇させることができる。
【００２７】
図８及び図９では室外ファン４の回転を正回転として説明したが、逆回転であっても同等の効果を得ることができる。すなわち、逆回転時にダンパー１３を閉じることで、室外熱交換器３の熱交換量を低減させ、吹出温度をより高くすることが可能となる。
【００２８】
上記の説明ではダンパー１３による室外熱交換器３への送風量低減を実施したが、室外機１０の上下に開口部を設け、室外ファンの送風量の一部を室外熱交換器３を通さないようにしてもよい。図１０は本実施の形態に係る空気調和機の室外機１の他の例の内部を示す縦断面図である。室外機１０の上部と下部に開閉式の通風口１６と通風口１７を設け、両者を開けることで、室外熱交換器３以外を流れる空気の流れが発生し、その分室外熱交換器３を通過する風量は低下する。これによって電気品１１への送風は確保されたまま、室外熱交換器３への送風量が低減され、吹出温度を上昇させることができる。なお、ここでは上下に通風口を設けた例で説明したが、通風口は上部のみ又は下部のみに設けても同等の効果を得ることができる。
【００２９】
また、室外ファン４の設置方向を変更することで実現してもよい。図１１は本実施の形態に係る空気調和機の室外機のさらに他の例の内部構成を示した図である。図１１に示すように、室外ファン４の設置方向を変更可能とし、吹出温度を上昇させる場合は図１１に示すような室外ファン４の向きとする。これによって放熱フィン１２への送風は確保されたまま、室外熱交換器３への送風量は大幅に低減され、吹出温度を上昇させることができる。
【００３０】
［実施の形態３］
図１２は本発明の実施の形態３に係る空気調和機の室外機１０の内部の、電気品１１に付随する放熱フィン１２を示したものである。室内機からドレンホースを通って屋外に排出されるドレン水を室外機１０の内部に導き、散水ヘッダ１４によって放熱フィン１２に散水し冷却する。ドレン水によって放熱フィン１２を冷却することで室外ファン４を停止することができ、従って吹出温度を上昇させることができる。
【００３１】
上記の説明では散水ヘッダ１４を用いて放熱フィン１２に散水したが、図１３に示すようにドレン水を貯める貯水槽１５を用いてもよい。図１３に示すように貯水槽１５にドレン水を導き、放熱フィン１２を貯水槽１５内に溜まったドレン水に接触させることで放熱フィン１２を冷却することができ、吹出温度を上げることが可能となる。
【００３２】
再熱除湿運転時は常にドレン水が発生するが、ドレン水発生量が不足する場合に備え、ドレン量検知の手段を備えてもよい。例えば室外機１０に導かれるドレン水量を常に検知し、放熱フィン１２の冷却に必要な水量の下限値を下回った場合には、室外ファン４を運転するようにする。これによってドレン水の量が必要量に達していない場合でも、電気品１１の温度が上昇してしまうことはない。
【００３３】
［実施の形態４］
図１４、図１５は本発明の実施の形態４に係る室外機を示すもので、図１４にドレン水を用いないで電気品１１を冷却する手段を示す。図１４は室外機１０と電気品１１の放熱フィン１２を示すもので、放熱フィン１２を室外機１０の外部に露出させる。これによって放熱フィン１２が外部風や雨水などにより冷却されるので、機内に設置するよりも電気品１１の冷却効果は大きくなり、従って室外ファン４を停止することができ、吹出温度を上昇させることが可能となる。また、無風時でも放熱フィンが外部にあることで、自然対流による冷却も行われ、その点でも機内に配置した場合よりも冷却効果は高い。
【００３４】
また、電気品１１の発熱部を室外機１０の筐体に熱的に接続し、筐体全体で放熱しても良い。図１５は室外機１０と電気品１１の位置を示す断面図である。図に示すように、例えば電気品１１と室外機１０の上蓋とを熱的に結合させる。これによって室外機１０の筐体全体で電気品１１の発熱量が放熱でき、室外ファン４の停止、吹出温度の上昇が可能となる。さらにこの場合、放熱フィン１２が不要となり、その分のコスト削減、省スペースの効果も上げられる。なお、電気品１１と熱的に結合させる部分は上蓋でなくてもよい。
【００３５】
【発明の効果】
以上説明したように、本発明によれば、圧縮機、四方弁、室外熱交換器、第１絞り機構、第１室内熱交換器、第２絞り機構、第２室内熱交換器からなる冷凍サイクルおよび室内ファン、室外ファン、放熱を必要とする電気品を備え、室外ファンの送風量を抑えることで室外熱交換量をある所定値以下に抑え、かつ室外ファンによる電気品の冷却は確保することで、室内機の吹出温度を室温以上とし、室温低下の無い快適な再熱除湿運転ができる空気調和機を得ることができる。
【図面の簡単な説明】
【図１】本発明の実施の形態１に係る空気調和機の冷凍サイクルの冷媒回路図である。
【図２】実施の形態１に係る空気調和機の構成の一部を示すブロック図である。
【図３】実施の形態１に係る室内機の能力を示す説明図である。
【図４】実施の形態１に係る室外ファンの特性を示す説明図である。
【図５】実施の形態１に係る室外機の作用説明図である。
【図６】実施の形態１に係る室外機の作用説明図である。
【図７】実施の形態１に係る室外ファンの制御例を示す説明図である。
【図８】本発明の実施の形態２に係る室外機の作用説明図である。
【図９】実施の形態２に係る室外機の作用説明図である。
【図１０】実施の形態２に係る室外機の作用説明図である。
【図１１】実施の形態２に係る室外機の作用説明図である。
【図１２】本発明の実施の形態３に係る室外機の放熱フィンの冷却作用を示す説明図である。
【図１３】実施の形態３に係る室外機放熱フィンの冷却作用を示す説明図である。
【図１４】実施の形態３に係る室外機と放熱フィンを示す説明図である。
【図１５】実施の形態３に係る室外機と電気品の位置を示す説明図である。
【図１６】従来の空気調和機の冷凍サイクルの冷媒回路図である。
【図１７】従来の空気調和機の電気品とその冷却ファンを示す説明図である。
【符号の説明】
１　圧縮機、２　四方弁、３　室外熱交換器、４　室外ファン、５　第１絞り機構、６　第１室内熱交換器、７　第２絞り機構、８　第２室内熱交換器、９　室内ファン、１０　室外機、１１　電気品、１２　放熱フィン、１３　ダンパー、１４　散水ヘッダー、１５　貯水槽、２１　制御手段、２２　入力手段、２３
記憶手段、２４　検知手段、２５　電気品用冷却ファン。
【図１】
2004101154.tif 000003
【図２】
2004101154.tif 000004
【図３】
2004101154.tif 000005
【図４】
2004101154.tif 000006
【図５】
2004101154.tif 000007
【図６】
2004101154.tif 000008
【図７】
2004101154.tif 000009
【図８】
2004101154.tif 000010
【図９】
2004101154.tif 000011
【図１０】
2004101154.tif 000012
【図１１】
2004101154.tif 000013
【図１２】
2004101154.tif 000014
【図１３】
2004101154.tif 000015
【図１４】
2004101154.tif 000016
【図１５】
2004101154.tif 000017
【図１６】
2004101154.tif 000018
【図１７】
2004101154.tif 000019